(57)【要約】      （修正有）【課題】支持部材との境界部分のコーキング処理部等が目立たなくなり、外観品位を向上させることができる洗面器を提供する。【解決手段】洗面ボウル部１１と、洗面ボウル部の外周部に連設されるとともに、下端部で支持部材２０に載置される外側部１２と、を備え、外側部の外周面１２ｃと、外側部の支持部材との載置部１２ｂの周縁との接続部には、載置部側が外周面よりも洗面ボウル部の外側面１１ｆ側に向けて凹んだ形状の段部１２Ａが形成され、段部は、支持部材との間でコーキング作業が可能な大きさで形成されている。【選択図】図７
2018089263.tif 000002
【特許請求の範囲】
【請求項１】
支持部材に周縁部を載置した状態で設置される洗面器であって、
洗面ボウル部と、
前記洗面ボウル部の外周部に連設されるとともに、下端部で前記支持部材に載置される外側部と、を備え、
前記外側部の外側面と、前記外側部の前記支持部材との載置部の周縁との接続部には、該載置部側が前記外側面よりも前記洗面ボウル部の外側面側に向けて凹んだ形状の段部が形成されていることを特徴とする洗面器。
【請求項２】
前記段部は、前記支持部材との間でコーキング作業が可能な大きさである請求項１に記載の洗面器。
【請求項３】
前記洗面ボウル部及び前記外側部は、陶器により形成され、
前記外側部には中空部が形成されている請求項１又は２に記載の洗面器。
【請求項４】
前記外側部は、前記中空部を画成する内側面と外側面とがそれぞれ上方に向かうに従い近接するとともに、頂部で前記内側面と前記外側面とが当接する請求項３に記載の洗面器。
【請求項５】
前記段部における前記支持部材側を向く下面には、前記段部における前記洗面ボウル部の外側面側に向けて下り勾配となる傾斜面が形成されている請求項１乃至４のいずれか１項に記載の洗面器。
【請求項６】
支持部材に周縁部を載置した状態で設置される洗面器であって、
洗面ボウル部と、
前記洗面ボウル部の外周部に連設されるとともに、下端部で前記支持部材に載置される外側部と、を備え、
前記洗面ボウル部にはオーバーフロー穴が形成され、前記洗面ボウル部の底面部の排水口には排水路が形成され、
前記オーバーフロー穴から前記排水路に接続する流路の内面全面が釉薬で被覆されていることを特徴とする洗面器。
【発明の詳細な説明】
【技術分野】
【０００１】
本発明は、洗面器に関する。
【背景技術】
【０００２】
従来、カウンター等の支持部材に周縁部を載置した状態で設置されるベッセル式の洗面器として、例えば特許文献１に示すような洗面ボウル部と、この洗面ボウル部の外周部に連設されるとともに、下端部で支持部材に載置される外側部と、を備えた構成のものが知られている。
例えば図１５（ａ）、（ｂ）に示すように、特許文献１に記載されるようなベッセル式の洗面器１００では、カウンター１０１とカウンター１０１に載置される外側部１００Ａとの間に、洗面器の使用時における水の浸入を防ぐために例えばシリコン製のコーキング材１０２を塗布することによりコーキング処理が施されている。
【先行技術文献】
【特許文献】
【０００３】
【特許文献１】特開２００５−８７６４７号公報
【発明の概要】
【発明が解決しようとする課題】
【０００４】
しかしながら、上述したベッセル式の洗面器では、以下のような問題があった。
すなわち、図１５（ａ）に示すように、外側部１００Ａにおけるカウンター１０１との境界部分に設けられるコーキング処理跡やコーキング材１０２の経年汚れが目立つという問題があった。
しかも、洗面器１００が陶器製の場合には、洗面器１００の外周面に釉薬が被覆されるが、製造過程における焼成時に自重により釉薬が下方に流れ、外側部１００Ａのカウンター載置部付近に釉溜り１０３が生じていた。さらに、図１５（ｂ）に示すように、陶器製の洗面器の場合には、焼成時に外側部１００Ａのカウンター載置部に焼残りが生じてしまい、この焼残り部１０４によって外側部１００Ａが跳ね上がった状態で載置されるおそれがあった。このように、コーキング処理部、釉溜り１０３、及び焼残り部１０４等によって外観が悪くなることから、その点で改善の余地があった。
【０００５】
また、従来の洗面器では、コーキング処理部がある外側部１００Ａとカウンター１０１との境界部分に水が溜まり易く、汚れやすい部分となるため、この境界部分を容易に掃除できる十分なスペースを確保する必要があるため、コーキング処理部を完全に覆ってしまうことはできない。そのため、上述したような外観の向上と、洗面器に付着した汚れを容易に清掃できることとをバランスよく達成できる洗面器が求められていた。
【０００６】
本発明は、上述する問題点に鑑みてなされたもので、支持部材との境界部分のコーキング処理部等が目立たなくなり、外観品位を向上させることができる洗面器を提供することを目的とする。
【課題を解決するための手段】
【０００７】
上記目的を達成するため、本発明に係る洗面器は、支持部材に周縁部を載置した状態で設置される洗面器であって、洗面ボウル部と、前記洗面ボウル部の外周部に連設されるとともに、下端部で前記支持部材に載置される外側部と、を備え、前記外側部の外側面と、前記外側部の前記支持部材との載置部の周縁との接続部には、該載置部側が前記外側面よりも前記洗面ボウル部の外側面側に向けて凹んだ形状の段部が形成されていることを特徴としている。
【０００８】
本発明に係る洗面器によれば、外側部の載置部の周縁と支持部材との境界部分が段部によって形成される凹部の前記洗面ボウル部の外側面側の位置となり、洗面器を使用する人の視線から隠れた位置となる。すなわち、この境界部分にコーキング処理が施されるため、コーキング処理部が目立たなくなり、外観品位を向上させることができる。
【０００９】
また、本発明に係る洗面器は、前記段部は、前記支持部材との間でコーキング作業が可能な大きさであることが好ましい。
【００１０】
この場合には、段部における外側部と支持部材との境界にコーキング処理を行う際に、段部によって形成される凹部に例えば指やヘラを進入させてコーキング作業を行うことができる。
【００１１】
また、本発明に係る洗面器は、前記洗面ボウル部及び前記外側部は、陶器により形成され、前記外側部には中空部が形成されていることが好ましい。
【００１２】
この場合には、外側部に中空部を設けることで、段部を形成することができる。そして中空部を形成することによりリムが薄くても割れにくくすることができる。
【００１３】
また、本発明に係る洗面器は、前記外側部は、前記中空部を画成する内側面と外側面とがそれぞれ上方に向かうに従い近接するとともに、頂部で前記内側面と前記外側面とが当接することが好ましい。
【００１４】
本発明では、外側部の形状が頂部に向けて先細りとなるため、よりシャープなデザインを実現することができる。
【００１５】
また、本発明に係る洗面器は、前記段部における前記支持部材側を向く下面には、前記段部の前記洗面ボウル部の外側面側に向けて下り勾配となる傾斜面が形成されていてもよい。
【００１６】
本発明では、製造時において釉薬が段部の傾斜面を下る方向に伝って、外側部の載置部と段部の傾斜面との間の側面の位置であって、人の視線から隠れた位置に釉溜を形成させることができる。
【００１７】
また、本発明に係る洗面器は、支持部材に周縁部を載置した状態で設置される洗面器であって、洗面ボウル部と、前記洗面ボウル部の外周部に連設されるとともに、下端部で前記支持部材に載置される外側部と、を備え、前記洗面ボウル部にはオーバーフロー穴が形成され、前記洗面ボウル部の底面部の排水口には排水路が形成され、前記オーバーフロー穴から前記排水路に接続する流路の内面全面が釉薬で被覆されていることを特徴としている。
【００１８】
本発明では、オーバーフロー穴から排水路に接続する流路の内面に被覆された釉薬によって滑らかに仕上げられているので、この流路内面に汚れが付着しにくくなる。そのうえ、釉薬が被覆された流路内面の清掃性が高まり、付着した汚れを簡単に落とすことが可能となるので、汚れが目立ちにくくなる。
【発明の効果】
【００１９】
本発明の洗面器によれば、支持部材との境界部分のコーキング処理等が目立たなくなり、外観品位を向上させることができる。
【図面の簡単な説明】
【００２０】
【図１】本発明の実施形態による洗面器を支持部材に設置した状態を示す斜視図である。
【図２】図１に示す洗面器の全体構造を示す斜視図である。
【図３】図２に示す洗面器の平面図である。
【図４】図１に示す洗面器の底面構造を示す斜視図である。
【図５】図１に示す洗面器の底面構造を示す斜視図であって、図４とは別の角度から見た図である。
【図６】洗面器を手前側から見た側面図である。
【図７】図２に示すＡ−Ａ線断面図である。
【図８】図１に示す支持部材に設置した状態の洗面器を手前側から見た側面図である。
【図９】図７に示す外側部の構成を示す要部拡大図である。
【図１０】図８に示す外側部の段部の構成を示す要部拡大図である。
【図１１】図３に示すＢ−Ｂ線断面図である。
【図１２】図４に示すＣ−Ｃ線断面図である。
【図１３】変形例による円形状の洗面器の底面構造を示す平面図である。
【図１４】変形例による円形状の洗面器の側断面図であって、図７に対応する図である。
【図１５】（ａ）、（ｂ）は、従来の洗面器の載置部分を示す要部拡大図である。
【発明を実施するための形態】
【００２１】
以下、本発明の実施形態による洗面器について、図面を参照しながら説明する。
【００２２】
図１〜図３に示すように、本実施形態による洗面器１０は、周縁部がカウンターなどからなる支持部材２０に載置された状態で支持されて構成されている。
なお、本実施形態においては、使用者が洗面器１０の前に位置した際に使用者に近い側を手前側とし、反対側の遠い側を奥側とする。また、洗面器１０の手前側と奥側との間に連なる部分を側方とする。また、洗面器１０を手前側から見たときの左右方向を幅方向Ｘ１といい、手前側と奥側の方向を前後方向Ｘ２という。
【００２３】
洗面器１０は、洗面ボウル部１１と、洗面ボウル部１１の手前側及び両側方側に連設された外側部１２と、洗面ボウル部１１の奥側、即ち、鏡やキャビネットなどが配される壁１３側に設けられて支持部材２０との固定部１５が形成された奥部１４と、を有している。洗面器１０は陶器製であり、洗面ボウル部１１、外側部１２、奥部１４は一体に形成されている。
【００２４】
洗面ボウル部１１は、平面視で略四角形状に形成されている。また、図４に示すように、底面部１１ａ及び周縁部１１ｂが連続して形成され、洗面ボウル部１１の内側面１１ｃが連続した凹形状に形成されている。周縁部１１ｂは四方に急勾配に立ち上がるように形成され、周縁部１１ｂの頂部１１ｄが略一定高さに、かつ、環状に連続形成されている。底面部１１ａには、排水口１１ｅが形成され、周縁部１１ｂから排水口１１ｅまでが下り勾配に形成されている。洗面ボウル部１１の内側面１１ｃの奥側で幅方向Ｘ１の中央部には、オーバーフロー穴１１ｇが形成されている。
【００２５】
また、図５に示すように、洗面ボウル部１１の底面部１１ａの排水口１１ｅには排水路１１ｈが形成され、この排水路１１ｈにはオーバーフロー穴１１ｇから延びるオーバーフロー流路１１ｉが接続されている。
なお、洗面器１０は、洗面ボウル部１１、外側部１２、及び奥部１４の陶器製の表面が釉薬で被覆されている。さらに本実施形態では、洗面ボウル部１１における排水口１１ｅ、オーバーフロー穴１１ｇ、排水路１１ｈ、及びオーバーフロー流路１１ｉのそれぞれの内面全面にも釉薬で被覆されている。なお、排水路１１ｈ内であって、オーバーフロー穴１１ｇの上方部分も釉薬により被覆されている。
この場合の釉薬の被覆方法としては、例えば排水口１１ｅを閉塞して、オーバーフロー穴１１ｇから排水路１１ｈに釉薬を満水にさせて、オーバーフロー流路１１ｉの流路内面の全面にわたって被覆することができる。
【００２６】
外側部１２は、図２、図３、及び図６に示すように、洗面ボウル部１１の手前側及び両側方側に連続して設けられており、洗面器１０の縁部を構成している。外側部１２の頂部１２ｄは、洗面ボウル部１１の周縁部１１ｂの頂部１１ｄと同じ位置として構成されているとともに、外側部１２の内側面１２ｅは、洗面ボウル部１１の周縁部１１ｂ（内側面１１ｃ）と同じ位置として構成されている。外側部１２の外周面１２ｃは、洗面器１０を支持部材２０に設置したときに略鉛直面となるように形成されている。外側部１２の内側面１２ｅと外周面１２ｃとの間には、中空部１２ｆが形成されている。なお、外側部１２の外周面１２ｃは鉛直方向に形成されていても、鉛直方向に対して正負何れかに勾配を有していてもよい。そして、外側部１２における中空部１２ｆを画成する内側面１２ｅと外周面１２ｃとは、それぞれ上方に向かうに従い近接するとともに頂部１２ｄで当接され、外側部１２の全体が連続して形成されている。
ここで、洗面ボウル部１１の周縁であって、洗面ボウル部１１の頂部１１ｄ（１２ｄ）、周縁部１１ｂの上部、および外側部１２の外周面１２ｃの上部で構成される箇所がリム３０に相当する。
【００２７】
図４、図５、及び図７に示すように、外側部１２の下端には、洗面ボウル部１１の外側面１１ｆと連結一体化された連結部１２ａが形成されている。連結部１２ａには、支持部材２０に載置される載置部１２ｂが形成されている。載置部１２ｂは、連結部１２ａから若干下方に突出した平坦面として形成されている。載置部１２ｂは、支持部材２０に直接当接して載置されてもよく、パッキンやコーキング剤等を介して載置されてもよい。なお、支持部材２０の上面における載置部１２ｂに対向する位置に凹部を形成し、該凹部に載置部１２ｂを嵌合するようにして載置してもよい。
【００２８】
図６及び図７に示すように、外側部１２は、載置部１２ｂが支持部材２０に載置された状態で、支持部材２０上に配置された洗面ボウル部１１の外側面１１ｆを外部から視認不能に覆うように形成されている。そして、外側部１２には、外周面１２ｃと載置部１２ｂの周縁との接続部において、載置部１２ｂ側が外周面１２ｃよりも洗面ボウル部１１の外側面１１ｆ側に向けて凹んだ形状の段部１２Ａが形成されている。段部１２Ａは、図８〜図１０に示すように、洗面器１０が支持部材２０に載置された状態で支持部材２０側を向く段下面１２ｇと、載置部１２ｂの外端から上方に向けて延びて段下面１２ｇの内端に連設する段側面１２ｈと、を有している。なお、段下面１２ｇは、水平面であってもよいし、段部１２Ａの洗面ボウル部１１の外側面１１ｆ側に向けて下り勾配となる傾斜面となっていてもよい。
【００２９】
段部１２Ａの段側面１２ｈと支持部材２０との境界部分には、止水を目的としたシリコン等のコーキング材が塗布されたコーキング処理部２３が設けられている。そして、段側面１２ｈと支持部材２０との境界部分、及び段側面１２ｈは、外側部１２の外周面１２ｃよりも奥まった位置であり、かつ通常、洗面器を使用する使用者の視線よりも下に位置するので、隠れた目立ちにくい部位となっている。つまり、上記の境界部分に設けられるコーキング処理部２３も使用者から見えにくい箇所となっている。
【００３０】
段部１２Ａの凹みの寸法（段下面１２ｇの奥行と段側面１２ｈの高さ）は、支持部材２０との間で例えば指やヘラ等が進入可能な大きさで、指等で塗布したコーキング材を仕上げるコーキング作業が可能な大きさに設定されている。段下面１２ｇの奥行は例えば１０ｍｍ、段側面１２ｈの高さは１５ｍｍ（最低で１３ｍｍ）に設定することができる。
【００３１】
本実施形態では、載置部１２ｂが外側部１２に沿って洗面ボウル部１１の手前側及び両側方側に連続して幅細に形成されている。ここで、載置部１２ｂの幅は例えば１５ｍｍ以下に設定されている。
【００３２】
図２〜図５に示すように、奥部１４は、洗面ボウル部１１の周縁部１１ｂの頂部１１ｄから連設するように一体に形成され、頂部１１ｄの高さで奥側、即ち壁１３側に延びる上面部１４ａと、上面部１４ａの奥側端部から下方に延びる背面部１４ｂと、背面部１４ｂの下端から略水平方向に延びる連結部１４ｄと、を有している。
【００３３】
図１、図２に示すように、奥部１４の上面部１４ａには、幅方向の略中間部分に各種の水栓や排水弁操作部などが配置される水栓設置部１４ｃが設けられている。水栓設置部１４ｃは後述する両側方側の固定部１５，１５間に設けられている。
【００３４】
背面部１４ｂは、図４、図５及び図１１に示すように、洗面ボウル部１１の両側方側にそれぞれ形成されている。各背面部１４ｂの下端には、洗面ボウル部１１の外側面１１ｆと連結一体化された連結部１４ｄが連設されている。
【００３５】
連結部１４ｄは、略水平方向に延出した板状に形成されている。連結部１４ｄには、支持部材２０に載置される載置部１４ｅと、載置部１４ｅより上方に位置しボルト等の固定具（図示省略）が装着される固定部１５と、が形成されている。載置部１４ｅ及び固定部１５は洗面ボウル部１１の外側面１１ｆよりも奥側に設けられている。載置部１４ｅは、外側部１２の載置部１２ｂと面一になるように形成されている。また、奥部１４の両側方側の端面１４ｆは、外側部１２の外周面１２ｃと面一に形成されている。
【００３６】
固定部１５は、載置部１４ｅを支持部材２０に載置させた状態で支持部材２０の上面と若干離間した位置に平板状に形成されており、この平面の略中心に長孔１５ｂが形成されている。
【００３７】
また、図４及び図５に示すように、本実施形態の洗面器１０の下面側には、洗面ボウル部１１の外周部に連設される周縁部と、洗面ボウル部１１との境界部に凹溝１６Ａ、１６Ｂが形成されている。
第１凹溝１６Ａは、外側部１２の載置部１２ｂと、洗面ボウル部１１の外側面１１ｆと、の境界部に形成され、洗面ボウル部１１の手前から幅方向Ｘ１の両側方にわたって下面視でコの字状に連続して延在している。第２凹溝１６Ｂは、奥部１４の幅方向Ｘ１の両側に位置する載置部１４ｅと、洗面ボウル部１１の外側面１１ｆのうち奥側部分と、の境界部に形成されている。なお、第１凹溝１６Ａは、外側部１２の連結部１２ａと同じ位置として構成されている。ここで、洗面器１０において、奥部１４は水栓取付部をなしており、水栓取付部の裏面１４Ａは、載置部１４ｅ、水栓設置部１４ｃの裏面１４ｇ、及び連結部１４ｄにより構成されている。
【００３８】
第１凹溝１６Ａ及び第２凹溝１６Ｂは、図１２に示すように、溝の延在方向から見た断面視で全体が湾曲しており、さらに洗面ボウル部１１、及び載置部１２ｂ、１４ｅに湾曲面１６ａを介して連設されている（図１１参照）。
そして、本実施形態では、第２凹溝１６Ｂの溝幅及び溝深さが第１凹溝１６Ａよりも大きくなるように設定されている。
【００３９】
図７に示すように、支持部材２０には、洗面器１０を設置するための取付開口部２１が形成されている。取付開口部２１は、所定位置に装着された洗面器１０により上方から覆われる大きさの形状を有している。取付開口部２１は、水栓設置部１４ｃに配置される水栓の配管などが挿通される奥側開口部２１ａと、奥側開口部２１ａよりも幅広に形成されて洗面ボウル部１１が配置される手前側開口部２１ｂと、を有している。
【００４０】
支持部材２０の上面における手前側開口部２１ｂの手前側及び両側方側の周縁には、洗面器１０の外側部１２の下端に設けられた載置部１２ｂを載置する設置面２２ａが設けられている。設置面２２ａは平坦に連続して設けられている。
さらに、支持部材２０における洗面器１０の固定部１５に対向する位置には、取付面２２ｂが形成されている。取付面２２ｂは、取付開口部２１の両側方側から互いの方向に向かって突出する略平坦面に形成されている。換言すれば、取付面２２ｂは、手前側開口部２１ｂの両側方側の端部よりも内側に突出するように形成されている。
【００４１】
このような支持部材２０を用いて洗面器１０を設置するには、取付開口部２１に対して上側から洗面器１０を配置し、手前側開口部２１ｂに洗面ボウル部１１を対向配置（一部挿入）すると共に、奥側開口部２１ａ上に奥部１４の水栓設置部１４ｃを配置する。洗面ボウル部１１の手前側及び両側方側の外側部１２の下端に設けられた載置部１２ｂを、手前側開口部２１ｂの周縁の設置面２２ａに載置する。また、洗面ボウル部１１の奥側における幅方向両側に設けられた固定部１５が、取付面２２ｂに対向するように載置する。そして、図示しない固定具を用いて洗面器１０と支持部材２０とを強固に支持固定することで、洗面器１０を支持部材２０に支持することができる。さらにその後、段部１２Ａの内側における外側部１２の段部１２Ａの段側面１２ｈと支持部材２０との境界部分にコーキング材を塗布し、その塗布したコーキング材に対して指やヘラを使用して均すようにして仕上げる。
【００４２】
次に、本実施形態による洗面器１０の作用について説明する。
本実施形態の洗面器１０では、図１〜図５に示すように、外側部１２の載置部１２ｂの周縁と支持部材２０との境界部分が段部１２Ａによって形成される凹部の洗面ボウル部１１の外側面１１ｆ側の位置となり、洗面器１０を使用する人の視線から隠れた位置となる。すなわち、この境界部分にコーキング処理が施されるため、コーキング処理部２３が目立たなくなり、外観品位を向上させることができる。
また、焼成時に生じる釉溜りや焼残し部も段部１２Ａの内側に位置することとなるので、外から目立たなくなる利点がある。
【００４３】
また、本実施形態では、段部１２Ａによって凹部が形成された構成であるので、この凹部のスペースを使用して内部の汚れを掃除することが可能となる。
しかも、段部１２Ａを設けることで、焼成時の熱変形による焼残りの広がりを抑えることが可能となり、外側部１２の載置部１２ｂの変形を防止することができ、外観品位の向上を図ることができる。
【００４４】
また、本実施形態の洗面器１０では、段部１２Ａが支持部材２０との間でコーキング作業が可能な大きさであるから、段部１２Ａにおける外側部１２と支持部材２０との境界にコーキング処理を行う際に、段部１２Ａによって形成される凹部に例えば指やヘラを進入させてコーキング作業を行うことができる。
【００４５】
さらに、本実施形態では、洗面ボウル部１１及び外側部１２は、陶器により形成され、さらに外側部１２には中空部１２ｆが形成されているので、段部１２Ａを形成することができる。そして中空部１２ｆを形成することによりリム３０が薄くても割れにくくすることができる。
【００４６】
また、本実施形態の洗面器は、外側部１２が中空部１２ｆを画成する内側面１２ｅと外周面１２ｃとがそれぞれ上方に向かうに従い近接するとともに、頂部１２ｄで内側面１２ｅと外周面１２ｃとが当接し、頂部１２ｄに向けて先細りの形状となるため、よりシャープなデザインを実現することができる。
【００４７】
なお、本実施形態の洗面器１０において、段部１２Ａの段下面１２ｇが段部１２Ａの洗面ボウル部１１の外側面１１ｆ側に向けて下り勾配となる傾斜面が形成されている場合には、製造時において釉薬が段部１２Ａの段下面１２ｇを下る方向に伝って、外側部１２の載置部１２ｂと段下面１２ｇとの間の段側面１２ｈの位置であって、人の視線から隠れた位置に釉溜を形成させることができる。
【００４８】
さらに本実施形態では、洗面ボウル部１１のオーバーフロー穴１１ｇから排水路１１ｈに接続するオーバーフロー流路１１ｉの内面に被覆された釉薬によって滑らかに仕上げられているので、このオーバーフロー流路１１ｉの内面に汚れが付着しにくくなる。そのうえ、釉薬が被覆された流路内面の清掃性が高まり、付着した汚れを簡単に落とすことが可能となるので、汚れが目立ちにくくなる。
【００４９】
このように本実施形態の洗面器１０によれば、支持部材２０との境界部分のコーキング処理部２３等が目立たなくなり、外観品位を向上させることができる。
【００５０】
以上、本発明による洗面器の実施形態について説明したが、本発明は上記の実施形態に限定されるものではなく、その趣旨を逸脱しない範囲で適宜変更可能である。
【００５１】
例えば、本実施形態では洗面ボウル部１１を平面視略四角形状の例について説明したが、特に限定されるものではなく、例えば平面視で円形、半円形状、多角形形状などであっても本発明を同様に適用可能である。
例えば図１３及び図１４に示す変形例による洗面器１０Ａは、平面視で円形をなし、略半円状の洗面ボウル部１１Ａと、洗面ボウル部１１Ａの奥側に水栓取付部１４Ａを有する奥部１４が設けられている。この変形例による洗面器１０Ａは、壁に当接しないタイプであり、中空部１２ｆを有する外側部１２の外周面１２ｃにおいて全周にわたって段部１２Ａが形成されている。また、本変形例の洗面器１０Ａの下面側には、洗面ボウル部１１Ａの外周部に連設される周縁部（外側部１２の載置部１２ｂ）と、洗面ボウル部１１との境界部に凹溝１６Ａ（凹部）が形成されている。
【００５２】
本実施形態では、第１凹溝１６Ａが洗面ボウル部１１の外側面１１ｆにおいて連続して設けられているが、部分的に設けられていてもよい。さらに、本実施形態では、第１凹溝１６Ａと第２凹溝１６Ｂの両方を設ける構成としているが、いずれか一方であってもかまわない。さらにまた、凹溝１６Ａ、１６Ｂを設けない構造であってもかまわない。
【００５３】
また、洗面器１０の材料として本実施形態のように陶器製であることに限定されることはなく、樹脂製の洗面器であってもよい。なお、樹脂製の洗面器とする場合には、中空部１２ｆを有さない外側部１２にすることができ、よりシャープなデザインを実現することができる。
【００５４】
さらに、本実施形態では、カウンター等の支持部材２０に周縁部を支持させた洗面器１０を対象としているが、支持部材２０に載置させずに鉛直面を有する壁に対して背面部１４ｂを取り付ける構造の洗面器であってもよい。この場合には、外側部１２に形成される段部１２Ａが支持部材２０に接することがなく、上述したようなコーキング処理部が目立たなくなるような効果はないが、段部を容易に清掃することができる。
【００５５】
その他、本発明の趣旨を逸脱しない範囲で、上記した実施形態における構成要素を周知の構成要素に置き換えることは適宜可能である。
【符号の説明】
【００５６】
１０  洗面器
１１  洗面ボウル部
１１ｂ  周縁部
１１ｃ  内側面
１１ｆ  外側面
１２  外側部
１２Ａ  段部
１２ａ  連結部
１２ｂ  載置部
１２ｃ  外周面
１２ｇ  段下面
１２ｈ  段側面
１４  奥部
１４ｃ  水栓設置部
１４ｄ  連結部
１４ｅ  載置部
１５  固定部
１６Ａ  第１凹溝
１６Ｂ  第２凹溝
２０  支持部材
２３  コーキング処理部
３０  リム
【図１】
2018089263.tif 000003
【図２】
2018089263.tif 000004
【図３】
2018089263.tif 000005
【図４】
2018089263.tif 000006
【図５】
2018089263.tif 000007
【図６】
2018089263.tif 000008
【図７】
2018089263.tif 000009
【図８】
2018089263.tif 000010
【図９】
2018089263.tif 000011
【図１０】
2018089263.tif 000012
【図１１】
2018089263.tif 000013
【図１２】
2018089263.tif 000014
【図１３】
2018089263.tif 000015
【図１４】
2018089263.tif 000016
【図１５】
2018089263.tif 000017